(57)【要約】【課題】施工が容易であり、かつ貼り直しや貼り替えの際に、床材自体や床下地材を損傷させること無く床下地材からの床材の剥離が容易に行えるとともに、作業が能率よく行え、面ファスナーの無駄を生じない床材とその施工方法を提供する。【解決手段】木質基材の表面に化粧を施し、裏面に切溝を設けた木質床材であって、それぞれ裏面に粘着剤層を有するフック型面ファスナーとループ型面ファスナーとを係合一体化してなる面ファスナーテープを、予め一方の粘着剤層によって木質基材の裏面に貼着し、他方の粘着剤層には剥離紙を設けた床材。【選択図】　図１
2004092212.tif 000002
【特許請求の範囲】
【請求項１】
木質基材の表面に化粧を施し、裏面に切溝を設けた木質床材であって、それぞれ裏面に粘着剤層を有するフック型面ファスナーとループ型面ファスナーとを係合一体化してなる面ファスナーテープを、予め一方の粘着剤層によって木質基材の裏面に貼着し、他方の粘着剤層には剥離紙を設けてなることを特徴とする木質床材
【請求項２】
木質基材裏面の溝に平行な対向する２辺に接合用の実部が形成されてなることを特徴とする請求項１に記載の木質床材
【請求項３】
フック型面ファスナー側を木質基材裏面に貼着してなる請求項１または請求項２に記載の木質床材
【請求項４】
木質基材裏面にフック型面ファスナーとループ型面ファスナーとを係合一体化した面ファスナーテープを貼着してなる木質床材の、面ファスナーテープ裏面に設けた剥離紙を除去しながら床下地材に配置して、順次接着固定することを特徴とする木質床材の施工方法
【発明の詳細な説明】
【０００１】
【産業上の利用分野】
本発明は、床材自体や床下地材を痛めることなく貼り替えが可能な床材とその施工方法に関するものである。
【０００２】
【従来の技術】
従来から、合板やパーティクルボードからなる床下地材上やコンクリートスラブ等の床下地材上に敷設する床材としては、例えば、四方端面に雌雄実部を形成している床材を使用し、この床材を多数枚、隣接する床材の雌雄実部を係合させながら敷設することによって床面施工を行っている。この際、床下地材に床材を直置きによって施工するだけであると、床材が動くことにより目すきを生じたりきしみ音を発したりするので、床材の裏面を床下地材に接着剤によって貼着、敷設する方法や釘又は釘と接着剤を併用して施工する方法が採用されている。ところが、接着剤を用いて施工すると、リフォーム等において床材の貼り替えを行う際には、床下地材からの床の剥離がきわめて困難であり、無理に剥がすと床材や床下地材を損傷して、その補修に著しい手間を要することになる。そこで、両面粘着テープを用いて施工する方法や、特開平４−１９４１６７号のように面ファスナーを用いて施工する方法などが提案されている。
【０００３】
【発明が解決しようとする課題】
両面テープを介して床材を床下地材に貼り付ける場合には、床材の貼り替え時に床材を床下地材から剥がしても、床材や床下地材を損傷することはない。しかしながら、一旦貼り付けた後に位置の微調整などの目的で剥がすと、接着力が低下したり、両面テープが破断したりする等の支障をきたすことがあった。
【０００４】
一方、面ファスナーを用いる場合は、剥離と再固定を容易に行うことができるが、面ファスナーの一方（ループ側もしくはフック側）を予め床下地の所定位置に貼着しておく必要があり、作業効率が悪いだけでなく、床下地側の面ファスナーと床材側の面ファスナーとが同じ位置にないと固定できないため、互いに交差するように貼着して施工するか、もしくは大面積に亘って面ファスナーを貼着しておく必要があったが、固定に寄与しない面ファスナーが生じて無駄が多かった。
【０００５】
本発明はこのような問題点に鑑みてなされたものであり、その目的とするところは、床材の施工が容易で、かつ床材の貼り直しや貼り替えの際に、床材自体や床下地材を損傷させること無く床下地材からの床材の剥離が容易に行えるとともに、作業が能率よく行え、面ファスナーの無駄を生じない床材とその施工方法を提供することにある。
【０００６】
【問題を解決するための手段】
上記目的を達成するために、本発明の床材は請求項１に記載したように、木質基材の表面に化粧を施し、裏面に切溝を設けた木質床材であって、それぞれ裏面に粘着剤層を有するフック型面ファスナーとループ型面ファスナーとを係合一体化してなる面ファスナーテープを、予め一方の粘着剤層によって木質基材の裏面に貼着し、他方の粘着剤層には剥離紙を設けている。請求項２に記載した木質床材は、木質基材裏面の溝に平行な対向する２辺に接合用の実部が形成されてなるものである。請求項３に記載した木質床材は、フック型面ファスナー側を木質基材裏面に貼着したことを特徴としている。
【０００７】
そして、請求項４に記載の木質床材の施工方法は、木質基材裏面にフック型面ファスナーとループ型面ファスナーとを係合一体化した面ファスナーテープを貼着してなる木質床材の、面ファスナーテープ裏面に設けた剥離紙を除去しながら床下地材に配置して、順次接着固定することを特徴としている。
【０００８】
【作用】
請求項１記載の木質床材においては、２タイプの面ファスナーを係合一体化してなる面ファスナーテープを、予め木質基材の裏面に貼着しているので、床下地材に床材を載置して荷重をかけるだけで接着・固定が完了する。位置調整や修理、リフォームなどの目的で床材を取り外す必要が生じても、面ファスナーの係合面で剥離するので、床材を容易に剥がすことができる。また、面ファスナーの無駄を生じず、必要最低限の使用で済む。請求項２によれば、接合用の実部は木質基材裏面の溝に平行な対向する２辺にのみ設けてあるので、精度を良く施工できるにもかかわらず、施工後の部分的な取り外しも可能である。請求項３の構成によって床材に可撓性を付与することによって、施工後でも部分的に床材を取り外すことや、取り外したあとに再びはめ込むとが可能となる。請求項４記載の施工方法によれば、床材の施工は熟練を必要とせず非常に容易であるだけではなく、施工後の貼り替えも簡便な床仕上げを得ることができるものである。
【０００９】
【実施例】
以下本発明の一実施例を示す図面に基づき具体的に説明する。図１〜図３において、２は長さが６００〜１２００ｍｍ、幅が９０〜３０３ｍｍ、厚みが６〜１２ｍｍの長方形状に形成された木質基板で、合板や木質繊維板、木削片板、およびこれらを積層した複合板などからなる。その上面に化粧単板３あるいは紙、合成樹脂等からなる化粧シートを貼着し、必要に応じて塗装を施しているとともに、その裏面には、幅方向（短手方向）に平行な切溝７が設けられており、木質基板に可撓性を与えている。さらに裏面における両側部には、フック型面ファスナー４ａとループ型面ファスナー４ｂとを係合一体化してなる面ファスナーテープ４を略全長に亘って貼着している。木質基板の幅が広い場合は、両側部に加えて中央部にも面ファスナーテープ４を貼着しておくことが好ましい。そして木質基板の短辺側側面には本実加工（雌実８および雄実９）を施している。
【００１０】
次に、下側面に貼着される面ファスナーテープ４について詳述すると、それぞれ裏面に粘着剤層５および剥離紙６を有する、係合面がフック型の面ファスナー４ａと、係合面がループ型の面ファスナー４ｂとを係合一体化したものであり、製造時に予め一方の剥離紙６を除去して木質基板２裏面に貼着されており、施工時にはもう一方の剥離紙６を剥がしながら床下地に貼着していくものである。面ファスナーテープ４は、係合状態での厚みが０．５〜２ｍｍ、好ましくは０．５〜１ｍｍの薄型タイプが用いられる。また、フック型面ファスナー４ａとループ型面ファスナー４ｂのどちらを木質基板側に貼着しても良いが、一般にフック側面ファスナーの方が丈夫でかつ柔軟性に富むため、フック側面ファスナー４ａを木質基板２に貼着し、床下地側に汎用性のあるループ型面ファスナー４ｂを貼着する方が好ましい。いずれにしても、木質基板側に貼着した面ファスナーは、床材１の変形に合わせて伸縮できる程度の引張り強度、柔軟性及び弾性を備えている必要がある。そして面ファスナー間の密着力は、床材１を取り外す際に面ファスナー間で剥離させるため、粘着剤層５の密着力よりも弱く設計されている必要がある。
【００１１】
次いで本願発明の施工方法について説明する。まず床下地表面をきれいに清掃する。表面に砂やホコリがあると、粘着剤層５の接着力を発揮できないからである。次いで床下地上に床材１を仮並べし、極端に色目が異なる床材１が隣り合ったり、同じ木目が連続したりしている場合は位置を入れ替えて、全体のバランスを確認する。配置が決まったら、最初に部屋の隅から、床材裏面の剥離紙６を剥がして雌実８が手前に来るように床材１を静かに置き、位置を確定して床材１の上から荷重をかけ接着する（図２ａ、図２ｂ）。次の床材は、剥離紙６を剥がした後、直前に施工した床材１の雌実８に雄実９を当接させながらゆっくりと倒すように置き、荷重をかけ接着する。これを繰り返して部屋全体を施工するものである。
【００１２】
なお、施工の途中に床材を貼り直したり、または施工後に床材を１枚あるいは全体を剥がしたりする場合には、面ファスナーの係合面において剥離させることで、床下地側の面ファスナーを残した状態で床材だけを取り外すことができる（図２ｃ）。この場合、例えば床材１の長さ方向中央部に強力な吸盤を取り付けて吊り上げると、床材を傷つけるおそれが無くて良い。また、床の一部を取り外した後に再び敷設する場合は、図３に示したように、床下地材に残した面ファスナーに対応する側の面ファスナーのみを裏面に貼着した床材を、雄実９を隣接する既設床材の雌実８’に当接させた状態で凸状に湾曲させ、雌実８側端部を床下地表面で滑らせて雄実９’にはめればよい。
【００１３】
【発明の効果】
上述したように、本願発明の請求項１、２または３に記載した木質床材は、フック型面ファスナーとループ型面ファスナーとを係合一体化してなる面ファスナーテープを、予め一方の粘着剤層によって木質基材の裏面に貼着したので、従来の両面テープや面ファスナーを使った床材に比べて精度の良い施工を容易に行うことができ、かつ床材の貼り直しや貼り替えの際に、床材自体や床下地材を損傷させること無く床下地材からの床材の剥離が容易に行えるとともに、作業が能率よく行え、さらに面ファスナーの無駄を生じない。請求項４に記載した施工方法によれば、床材の施工は熟練を必要とせず非常に容易であるだけではなく、施工後の貼り替えも簡便な床仕上げを得ることができる。
【図面の簡単な説明】
【図１】本発明の実施形態である床材１の裏面を示す説明図である。
【図２】本発明の実施形態である床材１における、施工時および剥離時の面ファスナー部分を示す説明図である。
【図３】本発明の施工方法示す説明図である。
【符号の説明】
（１）　　　　　　床材
（２）　　　　　　木質基板
（４ａ）　　　　　フック側面ファスナー
（４ｂ）　　　　　ループ側面ファスナー
（５）　　　　　　粘着剤層
（６）　　　　　　剥離紙
【図１】
2004092212.tif 000003
【図２】
2004092212.tif 000004
【図３】
2004092212.tif 000005